(57)【要約】【課題】  ＲＦＩＤ等のＩＤを複数記憶し、情報閲覧サーバなどに選択出力して、所望の商品に対応する詳細情報などを取得可能とした構成を提供する。【解決手段】  ＩＤ入力部を介して入力した例えばＲＦＩＤ等のＩＤを記憶部に格納し、記憶部に格納された複数のＩＤの情報からなるＩＤリストを表示して、表示部に表示されたＩＤリストから出力対象とするＩＤを選択し、選択されたＩＤを記憶部から抽出し、抽出ＩＤの出力処理を実行する。情報閲覧サーバに対して選択ＩＤを出力することで、選択した商品の詳細情報、商品位置を示す地図情報が取得できる。また、商品検索サーバにＩＤを送信することで、特定の商品の在庫状況を確認するなどの処理が可能となる。【選択図】  図２
2005322134.tif 000002
【特許請求の範囲】
【請求項１】
固有物に対応して設定された識別情報としてのＩＤを入力するＩＤ入力部と、
前記ＩＤ入力部を介して入力したＩＤを格納する記憶部と、
前記記憶部に格納された複数のＩＤの情報からなるＩＤリストを表示する表示部と、
前記表示部に表示されたＩＤリストから出力対象とするＩＤの選択情報を入力する入力部と、
前記入力部に入力された選択情報に従って前記記憶部に格納されたＩＤの中から特定のＩＤを選択抽出し、抽出ＩＤの出力処理を実行する制御部と、
を有することを特徴とする情報処理装置。
【請求項２】
前記制御部は、
前記ＩＤ入力部を介して入力したＩＤ情報を前記表示部に表示し、前記入力部を介して入力されるＩＤ対応のＩＤ識別名を前記ＩＤに対応付けて前記記憶部に格納する処理を実行する構成であることを特徴とする請求項１に記載の情報処理装置。
【請求項３】
前記制御部は、
前記ＩＤ入力部を介して入力したＩＤに対応する識別情報の付与処理を実行し、ＩＤに対応付けて前記記憶部に格納する処理を実行する構成であることを特徴とする請求項１に記載の情報処理装置。
【請求項４】
前記ＩＤに対応する識別情報はシーケンスナンバーであることを特徴とする請求項３に記載の情報処理装置。
【請求項５】
前記制御部は、
前記ＩＤ入力部を介して入力したＩＤ情報と、前記記憶部に格納済みのＩＤ情報との照合処理を実行し、照合処理結果、または照合処理に基づく判定結果を前記表示部に出力する構成であることを特徴とする請求項１に記載の情報処理装置。
【請求項６】
前記ＩＤはＲＦＩＤであり、
前記制御部は、
前記入力部に入力された選択情報に従って前記記憶部に格納されたＲＦＩＤの中から特定のＲＦＩＤを選択抽出し、ＲＦＩＤ出力処理を実行するＲＦＩＤ出力部対応のＲＦＩＤ格納メモリに抽出ＩＤの書き込み処理を実行し、
ＲＦＩＤ出力部が、前記ＲＦＩＤ格納メモリに格納されたＲＦＩＤの出力を行なう構成であることを特徴とする請求項１に記載の情報処理装置。
【請求項７】
固有物に対応して設定された識別情報としてのＩＤを記憶部に複数格納し、入力部に入力された選択情報に従って格納ＩＤから特定のＩＤを選択抽出し、抽出ＩＤの出力処理を実行する情報端末装置と、
前記情報端末装置から選択出力されるＩＤを入力し、入力ＩＤに対応する固有物の詳細情報を検索し、検索結果として取得される詳細情報を出力する情報処理装置と、
を有することを特徴とするデータ検索処理システム。
【請求項８】
前記情報処理装置は、
ＩＤ対応の商品の位置情報を示す地図情報を入力ＩＤに基づいて取得し、取得地図情報をディスプレイに表示する処理を実行する構成であることを特徴とする請求項７に記載のデータ検索処理システム。
【請求項９】
前記情報端末装置は、ＲＦＩＤ出力部を介して、ＲＦＩＤの選択出力処理を実行する構成であり、
前記情報処理装置は、前記情報端末装置から選択出力されるＲＦＩＤを入力し、入力ＲＦＩＤに対応する固有物の詳細情報を検索する構成であることを特徴とする請求項７に記載のデータ検索処理システム。
【請求項１０】
情報処理方法であり、
固有物に対応して設定された識別情報としてのＩＤを入力するＩＤ入力ステップと、
前記ＩＤ入力ステップにおいて入力したＩＤを記憶部に格納する記憶ステップと、
前記記憶部に格納された複数のＩＤの情報からなるＩＤリストを表示する表示ステップと、
前記表示ステップにおいて表示されたＩＤリストから出力対象とするＩＤの選択情報を入力する入力ステップと、
前記選択情報に従って前記記憶部に格納されたＩＤの中から特定のＩＤを選択抽出し、抽出ＩＤの出力処理を実行するＩＤ出力制御ステップと、
を有することを特徴とする情報処理方法。
【請求項１１】
前記情報処理方法は、さらに、
前記ＩＤ入力ステップにおいて入力されたＩＤ情報を表示部に表示し、入力部を介して入力されるＩＤ対応のＩＤ識別名を前記ＩＤに対応付けて前記記憶部に格納する処理を実行するステップを有することを特徴とする請求項１０に記載の情報処理方法。
【請求項１２】
前記情報処理方法は、さらに、
前記ＩＤ入力ステップにおいて入力されたＩＤに対応する識別情報の付与処理を実行し、ＩＤに対応付けて前記記憶部に格納する処理を実行するステップを有することを特徴とする請求項１０に記載の情報処理方法。
【請求項１３】
前記ＩＤに対応する識別情報はシーケンスナンバーであることを特徴とする請求項１２に記載の情報処理方法。
【請求項１４】
前記情報処理方法は、さらに、
前記ＩＤ入力ステップにおいて入力されたＩＤ情報と、前記記憶部に格納済みのＩＤ情報との照合処理を実行し、照合処理結果、または照合処理に基づく判定結果を表示部に出力するステップを有することを特徴とする請求項１０に記載の情報処理方法。
【請求項１５】
前記ＩＤはＲＦＩＤであり、
前記ＩＤ出力制御ステップは、
前記選択情報に従って記憶部に格納されたＲＦＩＤの中から特定のＲＦＩＤを選択抽出し、ＲＦＩＤ出力処理を実行するＲＦＩＤ出力部対応のＲＦＩＤ格納メモリに抽出ＩＤの書き込み処理を実行するステップであり、
ＲＦＩＤ出力部において前記ＲＦＩＤ格納メモリに格納されたＲＦＩＤの出力を行なうことを特徴とする請求項１０に記載の情報処理方法。
【請求項１６】
ＩＤ情報処理を実行するコンピュータ・プログラムであり、
固有物に対応して設定された識別情報としてのＩＤを入力するＩＤ入力ステップと、
前記ＩＤ入力ステップにおいて入力したＩＤを記憶部に格納する記憶ステップと、
前記記憶部に格納された複数のＩＤの情報からなるＩＤリストを表示する表示ステップと、
前記表示ステップにおいて表示されたＩＤリストから出力対象とするＩＤの選択情報を入力する入力ステップと、
前記選択情報に従って前記記憶部に格納されたＩＤの中から特定のＩＤを選択抽出し、抽出ＩＤの出力処理を実行するＩＤ出力制御ステップと、
を有することを特徴とするコンピュータ・プログラム。
【発明の詳細な説明】
【技術分野】
【０００１】
本発明は、情報処理装置、データ検索処理システム、および情報処理方法、並びにコンピュータ・プログラムに関する。さらに、詳細には、ＲＦＩＤ(Radio Frequency Identification)等の識別情報を適用して商品の確認や検索などのデータ処理を実現する情報処理装置、データ検索処理システム、および情報処理方法、並びにコンピュータ・プログラムに関する。
【背景技術】
【０００２】
ＲＦＩＤ(Radio Frequency Identification)は、近年、物流過程などで荷物の識別などに利用されている。ＲＦＩＤは、タグとリーダとから構成されるシステムで、タグに格納された情報をリーダで非接触に読み取るシステムである。タグとリーダ間の通信方法には、電磁結合方式、電磁誘導方式、電波通信方式などが挙げられる。
【０００３】
ＲＦＩＤタグは、固有の識別情報（ＩＤ）を含んだデバイスであり、例えば特定周波数の電波を受信したことに応答して識別情報に相当する変調周波数の電波を発振する動作特性を持ち、読み取り装置（リーダ）側でＲＦＩＤタグの発振周波数を基にそれが何であるかを特定することができる。したがって、ＲＦＩＤを用いたシステムでは、ＲＦＩＤタグに書き込まれている固有のＩＤを利用して、物品の判別や所有者の判別などを行なうことができる。現在、ＲＦＩＤシステムは、入退室を管理するシステムや、物流における物品識別システム、食堂などでの料金清算のシステム、ＣＤやソフトウェアなどの販売店での無断持ち出し防止システムなど、多数のシステムで利用されている。
【０００４】
ＲＦＩＤシステムの具体的構成としては、例えば、送受信及びメモリ機能を備えたＩＣチップと、該チップの駆動源と、アンテナとをパッケージ化した小型無線識別装置が利用される。この無線識別装置により、物品などに関するさまざまのデータをアンテナ経由でＩＣチップの受信手段に送信し、その出力をメモリに蓄積しておくとともに、必要に応じてメモリ内のデータを読み出して、アンテナを介して無線で外部に供給する。このようなＲＦＩＤシステムにより物品などの存在や位置を迅速且つ容易に確認したり追跡したりすることが可能となる。
【０００５】
ＲＦＩＤシステムを開示した従来技術としては、例えば、以下に示す文献がある。特許文献１は、展示会などでパンフレットの選択的配布をＲＦＩＤを適用して実現したパンフレット配布システムを開示している。また、特許文献２は、ＲＦＩＤを用いた代表的な例である物流管理システムでの利用方法や、ＲＦＩＤを用いた交通手段の運行手段管理システム、さらに目的地への道案内情報の提供システムなどのＲＦＩＤ利用例を開示している。
【０００６】
これまでに開示されているＲＦＩＤの利用例においては、利用者が、ある特定のＲＦＩＤ利用環境、すなわちＲＦＩＤタグの付いた商品を陳列したショッピングセンターなど特定の利用環境に出向くことで、その特定のＲＦＩＤ利用空間で提供されているシステムの利用を実現しているものである。すなわち、あくまで、特定のＲＦＩＤ利用環境下にある固有物と情報端末の接触によりＲＦＩＤ情報を取得し、識別に利用するものであり、ＲＦＩＤの利用は、特定のＲＦＩＤ利用環境が整った領域に限られてしまうという制約があった。
【特許文献１】特開２００３−３０８３７９号公報
【特許文献２】特開２００３−２３６６６号公報
【発明の開示】
【発明が解決しようとする課題】
【０００７】
本発明は、このような状況に鑑みてなされたものであり、例えばネットワークを介した情報の送受信構成を適用して商品その他の固有物の識別情報としてのＩＤをユーザの利用する携帯情報端末に格納する構成とし、複数のＩＤを携帯情報端末の記憶部に蓄積し、これを選択的に出力することで、利用領域の制約を減少させたＩＤの利用構成を実現するものである。すなわち、上述した従来システムのように特定のＲＦＩＤ利用環境下にある固有物の識別処理に限定されることなく、時間的・空間的制約、制度的制約、利用者側の制約のない固有物の識別情報の取得、利用構成を実現する情報処理装置、データ検索処理システム、および情報処理方法、並びにコンピュータ・プログラムを提供することを目的とするものである。
【課題を解決するための手段】
【０００８】
本発明の第１の側面は、
固有物に対応して設定された識別情報としてのＩＤを入力するＩＤ入力部と、
前記ＩＤ入力部を介して入力したＩＤを格納する記憶部と、
前記記憶部に格納された複数のＩＤの情報からなるＩＤリストを表示する表示部と、
前記表示部に表示されたＩＤリストから出力対象とするＩＤの選択情報を入力する入力部と、
前記入力部に入力された選択情報に従って前記記憶部に格納されたＩＤの中から特定のＩＤを選択抽出し、抽出ＩＤの出力処理を実行する制御部と、
を有することを特徴とする情報処理装置にある。
【０００９】
さらに、本発明の情報処理装置の一実施態様において、前記制御部は、前記ＩＤ入力部を介して入力したＩＤ情報を前記表示部に表示し、前記入力部を介して入力されるＩＤ対応のＩＤ識別名を前記ＩＤに対応付けて前記記憶部に格納する処理を実行する構成であることを特徴とする。
【００１０】
さらに、本発明の情報処理装置の一実施態様において、前記制御部は、前記ＩＤ入力部を介して入力したＩＤに対応する識別情報の付与処理を実行し、ＩＤに対応付けて前記記憶部に格納する処理を実行する構成であることを特徴とする。
【００１１】
さらに、本発明の情報処理装置の一実施態様において、前記ＩＤに対応する識別情報はシーケンスナンバーであることを特徴とする。
【００１２】
さらに、本発明の情報処理装置の一実施態様において、前記制御部は、前記ＩＤ入力部を介して入力したＩＤ情報と、前記記憶部に格納済みのＩＤ情報との照合処理を実行し、照合処理結果、または照合処理に基づく判定結果を前記表示部に出力する構成であることを特徴とする。
【００１３】
さらに、本発明の情報処理装置の一実施態様において、前記ＩＤはＲＦＩＤであり、前記制御部は、前記入力部に入力された選択情報に従って前記記憶部に格納されたＲＦＩＤの中から特定のＲＦＩＤを選択抽出し、ＲＦＩＤ出力処理を実行するＲＦＩＤ出力部対応のＲＦＩＤ格納メモリに抽出ＩＤの書き込み処理を実行し、ＲＦＩＤ出力部が、前記ＲＦＩＤ格納メモリに格納されたＲＦＩＤの出力を行なう構成であることを特徴とする。
【００１４】
さらに、本発明の第２の側面は、
固有物に対応して設定された識別情報としてのＩＤを記憶部に複数格納し、入力部に入力された選択情報に従って格納ＩＤから特定のＩＤを選択抽出し、抽出ＩＤの出力処理を実行する情報端末装置と、
前記情報端末装置から選択出力されるＩＤを入力し、入力ＩＤに対応する固有物の詳細情報を検索し、検索結果として取得される詳細情報を出力する情報処理装置と、
を有することを特徴とするデータ検索処理システムにある。
【００１５】
さらに、本発明のデータ検索処理システムの一実施態様において、前記情報処理装置は、ＩＤ対応の商品の位置情報を示す地図情報を入力ＩＤに基づいて取得し、取得地図情報をディスプレイに表示する処理を実行する構成であることを特徴とする。
【００１６】
さらに、本発明のデータ検索処理システムの一実施態様において、前記情報端末装置は、ＲＦＩＤ出力部を介して、ＲＦＩＤの選択出力処理を実行する構成であり、前記情報処理装置は、前記情報端末装置から選択出力されるＲＦＩＤを入力し、入力ＲＦＩＤに対応する固有物の詳細情報を検索する構成であることを特徴とする。
【００１７】
さらに、本発明の第３の側面は、
情報処理方法であり、
固有物に対応して設定された識別情報としてのＩＤを入力するＩＤ入力ステップと、
前記ＩＤ入力ステップにおいて入力したＩＤを記憶部に格納する記憶ステップと、
前記記憶部に格納された複数のＩＤの情報からなるＩＤリストを表示する表示ステップと、
前記表示ステップにおいて表示されたＩＤリストから出力対象とするＩＤの選択情報を入力する入力ステップと、
前記選択情報に従って前記記憶部に格納されたＩＤの中から特定のＩＤを選択抽出し、抽出ＩＤの出力処理を実行するＩＤ出力制御ステップと、
を有することを特徴とする情報処理方法にある。
【００１８】
さらに、本発明の情報処理方法の一実施態様において、前記情報処理方法は、さらに、前記ＩＤ入力ステップにおいて入力されたＩＤ情報を表示部に表示し、入力部を介して入力されるＩＤ対応のＩＤ識別名を前記ＩＤに対応付けて前記記憶部に格納する処理を実行するステップを有することを特徴とする。
【００１９】
さらに、本発明の情報処理方法の一実施態様において、前記情報処理方法は、さらに、前記ＩＤ入力ステップにおいて入力されたＩＤに対応する識別情報の付与処理を実行し、ＩＤに対応付けて前記記憶部に格納する処理を実行するステップを有することを特徴とする。
【００２０】
さらに、本発明の情報処理方法の一実施態様において、前記ＩＤに対応する識別情報はシーケンスナンバーであることを特徴とする。
【００２１】
さらに、本発明の情報処理方法の一実施態様において、前記情報処理方法は、さらに、前記ＩＤ入力ステップにおいて入力されたＩＤ情報と、前記記憶部に格納済みのＩＤ情報との照合処理を実行し、照合処理結果、または照合処理に基づく判定結果を表示部に出力するステップを有することを特徴とする。
【００２２】
さらに、本発明の情報処理方法の一実施態様において、前記ＩＤはＲＦＩＤであり、前記ＩＤ出力制御ステップは、前記選択情報に従って記憶部に格納されたＲＦＩＤの中から特定のＲＦＩＤを選択抽出し、ＲＦＩＤ出力処理を実行するＲＦＩＤ出力部対応のＲＦＩＤ格納メモリに抽出ＩＤの書き込み処理を実行するステップであり、ＲＦＩＤ出力部において前記ＲＦＩＤ格納メモリに格納されたＲＦＩＤの出力を行なうことを特徴とする。
【００２３】
さらに、本発明の第４の側面は、
ＩＤ情報処理を実行するコンピュータ・プログラムであり、
固有物に対応して設定された識別情報としてのＩＤを入力するＩＤ入力ステップと、
前記ＩＤ入力ステップにおいて入力したＩＤを記憶部に格納する記憶ステップと、
前記記憶部に格納された複数のＩＤの情報からなるＩＤリストを表示する表示ステップと、
前記表示ステップにおいて表示されたＩＤリストから出力対象とするＩＤの選択情報を入力する入力ステップと、
前記選択情報に従って前記記憶部に格納されたＩＤの中から特定のＩＤを選択抽出し、抽出ＩＤの出力処理を実行するＩＤ出力制御ステップと、
を有することを特徴とするコンピュータ・プログラムにある。
【００２４】
なお、本発明のコンピュータ・プログラムは、例えば、様々なプログラム・コードを実行可能なコンピュータ・システムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２５】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２６】
本発明の構成によれば、ＩＤ入力部を介して入力した例えばＲＦＩＤ等のＩＤを記憶部に格納し、記憶部に格納された複数のＩＤの情報からなるＩＤリストを表示して、表示部に表示されたＩＤリストから出力対象とするＩＤを選択し、選択されたＩＤを記憶部から抽出し、抽出ＩＤの出力処理を実行する構成としたので、ユーザが外部から取得した様々な商品に対応するＩＤを自在に選択して出力可能となり、例えば外部の情報閲覧サーバに対して選択ＩＤを出力することで、選択した商品の詳細情報を取得したり、商品検索サーバにＩＤを送信することで、特定の商品の在庫状況を確認することなどが可能となる。
【００２７】
さらに、本発明の構成によれば、固有物に対応して設定された識別情報としてのＩＤを記憶部に複数格納し、選択したＩＤの出力処理を実行する情報端末装置と、情報端末装置から選択出力されるＩＤを入力し、入力ＩＤに対応する固有物の情報を出力する情報処理装置とからなるデータ検索処理システムが実現され、例えば、ＩＤ対応の商品の位置情報を示す地図情報を入力ＩＤに基づいて取得し、取得地図情報をディスプレイに表示する処理などが可能となり、ユーザの持つ端末に格納した複数のＩＤから選択したＩＤに対応する商品情報の取得が可能となる。
【発明を実施するための最良の形態】
【００２８】
以下、図面を参照しながら本発明の情報処理装置、データ検索処理システム、および情報処理方法、並びにコンピュータ・プログラムの詳細について説明する。
【００２９】
まず、図１を参照して本発明の情報処理装置の一例としての、様々な商品等の固有物から識別子（ＩＤ）を取得し記憶部に格納するとともに、記憶部に格納したＩＤ群から選択したＩＤを出力する携帯情報端末の構成について説明する。なお、ＩＤとしては、ＲＦＩＤ(Radio Frequency Identification)やバーコードなどのＩＤ、その他の様々なＩＤが利用される。
【００３０】
携帯情報端末１００は、ＣＰＵなどからなる制御部１０１、液晶表示装置などからなる表示部１０２、外部から入力した様々な商品等の識別子（ＩＤ）を格納し、また、制御部１０１によって実行されるプログラムを格納する情報記憶部１０３、外部のＲＦＩＤリーダなどの情報端末に対して情報記憶部１０３に格納したＩＤから選択したＩＤを出力するＩＤ出力部１０４、ユーザの操作情報を入力する入力部１０５、外部の情報処理装置、あるいはＲＦＩＤタグなどからＩＤ情報を入力するＩＤ入力部１０６、ネットワークを介して接続されるサーバなどとの通信を実行する通信部１０７を有する。なお、ＩＤ出力部１０４には、情報記憶部１０３に格納したＩＤから選択した出力用ＩＤを一時的に格納する出力ＩＤ格納部１０８を有する。
【００３１】
記憶部１０３に格納された様々な商品対応のＩＤは、制御部１０１の制御により、液晶表示装置などからなる表示部１０２に表示し、確認することができる。
【００３２】
図２以下を参照して、携帯情報端末１００を利用したデータ処理構成の詳細について説明する。図２におけるステップＳ１００において、携帯情報端末１００は情報処理装置１５１から商品ＩＤを入力する。例えば商品提供サービスなどを実行しているサーバにネットワーク接続されたＰＣなどの情報処理装置１５１に商品紹介画面（ＷＥＢ情報）を提示し、その画面に紹介された商品に対応する識別子（ＩＤ）を情報処理装置１５１から入力する。
【００３３】
情報処理装置１５１から入力する商品ＩＤは、例えば無線あるいは有線通信路を介した情報処理装置１５１から携帯情報端末１００へのＩＤデータの転送、あるいは情報処理装置１５１に表示されたバーコードの携帯情報端末１００による読み取り、あるいは、情報処理装置１５１がＲＦＩＤ出力部を有する場合は、情報処理装置１５１が出力するＲＦＩＤを携帯情報端末１００が受信するなど、様々な処理形態が可能である。
【００３４】
携帯情報端末１００は、ＩＤ入力部１０６（図１参照）を介して情報処理装置１５１から商品ＩＤを入力し、入力した識別子（ＩＤ）を情報記憶部１０３（図１参照）に格納する。なお、情報処理装置１５１から携帯情報端末１００に入力する商品ＩＤには、製品の詳細情報、製品問い合わせ先のＵＲＬ情報、製品番号などの情報が含まれている。
【００３５】
ステップＳ１００の携帯情報端末１００によるＩＤの入力および記憶処理の詳細処理シーケンスについて図３を参照して説明する。
【００３６】
ステップＳ１０１において、ＰＣ等の情報処理装置において、商品識別情報（商品ＩＤ）の設定された商品情報を提供している画面（ＷＥＢページ）を開く。ステップＳ１０２において、携帯情報端末１００のＩＤ入力部１０６（図１参照）を介して情報処理装置１５１から商品ＩＤを入力する。ステップＳ１０３において入力の失敗と判定された場合は、リトライを繰り返し、成功確認の後、ステップＳ１０４において、取得ＩＤを情報記憶部１０３に格納する。
【００３７】
ステップＳ１０５において実行するＩＤの取得完了通知処理は、たとえば表示部１０２（図１参照）に取得完了メッセージを表示するなどの処理や、携帯情報端末１００にＬＥＤランプを装着し、ＬＥＤランプの発光、消灯などによって通知する処理によって行なわれる。次に、ステップＳ１０６において、取得ＩＤにユニークな名前を割り当てて、ステップＳ１０７でＩＤの読み取り、記憶処理を終了する。
【００３８】
ステップＳ１０６における取得ＩＤに対するユニークな名前の割り当て処理は、制御部１０１の処理によって、シーケンスナンバーを割り当てる構成としてもよいが、ユーザが識別可能な独自の名前を設定する構成としてもよい。
【００３９】
ユーザによる名前設定例について図４を参照して説明する。図４は、携帯情報端末１００に入力され記憶部に格納されたＩＤリストを示す図である。ＩＤリストには、外部から入力したＩＤと、シーケンスＮｏ．、さらに、ユーザによって設定された名前が対応付けて記録可能な構成を持つ。
【００４０】
シーケンスＮｏ．は、入力ＩＤ順に従って自動的に設定されるデータであり、名前は、ユーザが独自に設定した名前である。ユーザは、情報記憶部１０３に格納されたＩＤリストを表示部１０２に表示し、自由な名前を入力部１０５を介して入力して登録することができる。例えば、図に示すように、シーケンスＮｏ．１のＩＤに対しては「ａ社ディスプレイ」、シーケンスＮｏ．２のＩＤに対しては「ａｂｃ文庫本」など、ユーザが商品を識別することが可能な名前を設定してＩＤに対応付けて格納することができる。
【００４１】
図２に戻り、携帯情報端末１００を利用したデータ処理構成についての説明を続ける。上述した処理によって、携帯情報端末１００の情報記憶部１０３には、様々な商品に対応する商品ＩＤが格納される。すなわち、図４を参照して説明したＩＤリストが情報記憶部１０３に格納される。
【００４２】
次に、携帯情報端末１００を持つユーザは、商品ＩＤの格納された携帯情報端末１００を持ち、商品を販売する店舗、あるいは商品情報を提供するサービスセンターなどに行き、これらの店舗、あるいはサービスセンターなどに設置された情報閲覧サーバ１５２、商品管理サーバ１５３に対して、携帯情報端末１００に格納された商品ＩＤを選択して出力する。
【００４３】
情報閲覧サーバ１５２は、ネットワークを介して商品情報を格納した商品情報データベースを持つＷＥＢサーバ１５４に接続されており、情報閲覧サーバ１５２が携帯情報端末１００から入力したＩＤ情報をＷＥＢサーバ１５４に送信し、ＷＥＢサーバ１５４からＩＤに対応する商品の詳細情報を取得し、情報閲覧サーバ１５２に接続されたディスプレイに商品情報を表示し、ユーザに提示する。
【００４４】
一方、商品管理サーバ１５３は、ネットワークを介して商品を格納した倉庫１５５の商品管理データベース１５６に接続されており、商品管理サーバ１５３が携帯情報端末１００から入力したＩＤ情報を商品管理データベース１５６に送信し、商品管理データベース１５６からＩＤに対応する商品の有無などの詳細在庫情報を取得し、商品管理サーバ１５３に接続されたディスプレイに商品在庫情報を表示し、ユーザに提示する。
【００４５】
これらの処理シーケンスの詳細について、図５以下を参照して説明する。まず、図２に示すステップＳ２００の商品ＩＤ送信処理について、図５、図６のフローチャートを参照して説明する。情報閲覧サーバ１５２あるいは商品管理サーバ１５３に対して携帯情報端末１００から特定の商品ＩＤを出力する場合には、携帯情報端末１００の情報記憶部１０３に格納された複数の商品ＩＤから出力対象となるＩＤを選択して、ＩＤ出力部１０４の出力ＩＤ格納メモリ１０８に記憶させることがまず必要となる。この処理について図５を参照して説明する。
【００４６】
ステップＳ２０１において、情報記憶部１０３に格納されたＩＤ情報を表示部１０２に表示する。表示する情報は、先に図４を参照して説明したＩＤリストであり、情報記憶部１０３に格納されたＩＤと自動設定されたシーケンスＮｏ．と、ユーザの設定したユニークな名前が対応付けられたリストである。
【００４７】
ステップＳ２０２において、ユーザは表示されたリストから出力対象のＩＤを選択し、ステップＳ２０３において、入力部１０５を介して選択指示情報を入力する。制御部１０１は、入力部１０５を介して入力された選択指示情報に従って、情報記憶部１０３に格納されたＩＤを抽出し、抽出したＩＤデータをＩＤ出力部１０４の出力ＩＤ格納メモリ１０８に書き込み、格納する。
【００４８】
ステップＳ２０４において書き込み失敗と判定された場合は、リトライを繰り返し、書き込みの成功が確認されると、ステップＳ２０５において、ＩＤ書き込み完了通知を行なって、ステップＳ２０６で出力ＩＤ書き込み処理を終了する。ステップＳ２０５において実行するＩＤの書き込み完了通知処理は、たとえば表示部１０２（図１参照）に書き込み完了メッセージを表示するなどの処理によって行なわれる。あるいは携帯情報端末１００にＬＥＤランプを装着し、ＬＥＤランプの発光、消灯などによって通知する構成としてもよい。
【００４９】
次に、図６を参照して、情報閲覧サーバ１５２あるいは商品管理サーバ１５３に対して携帯情報端末１００から商品ＩＤを出力する処理について図６のフローを参照して説明する。
【００５０】
図６の処理は、図５のフローを参照して説明した処理、すなわち、ユーザによって選択されたＩＤデータがＩＤ出力部１０４の出力ＩＤ格納メモリ１０８に格納された後に実行される処理である。ステップＳ２５１において、ユーザによるＩＤの出力指示の待機状態に設定され、ステップＳ２５２において、制御部１０１がユーザによるＩＤの出力指示が入力部１０５を介して入力されたと判断すると、ステップＳ２５３において、出力ＩＤ格納メモリ１０８に格納された選択ＩＤがＩＤ出力部１０４から出力される。
【００５１】
図５、図６に示す処理制御を実行するのは、図１に示す制御部１０１である。制御部１０１は、入力部１０５を介して入力されたユーザのＩＤ選択情報に従って情報記憶部１０３に格納されたＩＤの中から特定のＩＤを選択抽出し、抽出ＩＤをＩＤ出力部１０４のＩＤ格納メモリへ書き込む処理制御を実行する。また、制御部１０１は、入力部１０５からの出力指示に応じた出力制御を実行する。
【００５２】
携帯情報端末によるＲＦＩＤの送受信構成について、図７を参照して説明する。前述したように、携帯情報端末１００は、商品識別データとして例えばＲＦＩＤを入力し、また出力する構成を持つ。図７は、外部の情報処理装置２００と、携帯情報端末１００との間でＲＦＩＤ通信処理を行なう場合の外部の情報処理装置２００の構成を説明する図である。
【００５３】
情報処理装置２００は、データ処理制御部としてのＣＰＵ２０１、ＲＦＩＤ入出力インタフェース２０２、ＲＦＩＤ入出力制御部２０３、復調部２０４、変調部２０５を有する。復調部２０４は、アンテナを介して携帯情報端末１００から入力したＩＤデータをデジタルデータに変換し、ＲＦＩＤ入出力インタフェース２０２を介してデータ処理制御部としてのＣＰＵ２０１に渡し、ＣＰＵ２０１の制御の下に図示しない記憶部に格納される。あるいは図示しない通信部を介してネットワークを介して外部のサーバに出力する処理などが実行される。
【００５４】
また、情報処理装置２００から携帯情報端末１００に対してＩＤを出力する場合は、情報処理装置２００のＣＰＵ２０１は、図示しない記憶部からＩＤを取り出して、変調部２０５において、変調処理を実行し変調データをアンテナを介して出力する。アンテナを介して出力された変調データが携帯情報端末１００のＩＤ入力部１０６（図１参照）に入力され、携帯情報端末１００のＩＤ入力部１０６においてデジタルデータに変換された後、情報記憶部１０３に記憶される。この処理は、図２におけるステップＳ１００のＩＤ入力処理において、情報処理装置１５１がＲＦＩＤを出力する場合に実行される。
【００５５】
次に、図２におけるステップＳ３００とステップＳ４００の処理、すなわち、情報閲覧サーバ１５２が、携帯情報端末１００から入力したＩＤ情報を、ネットワークを介してＷＥＢサーバ１５４に送信し、ＷＥＢサーバ１５４からＩＤに対応する商品の詳細情報を取得しディスプレイに商品情報を表示する処理、および、商品管理サーバ１５３が、携帯情報端末１００から入力したＩＤ情報を商品管理データベース１５６に送信し、ＩＤに対応する商品の有無などの在庫情報を取得しディスプレイに商品在庫情報を表示する処理について、図８の処理フローを参照して説明する。
【００５６】
情報閲覧サーバ１５２または商品管理サーバ１５３は、ステップＳ３０１において、携帯情報端末１００から入力したＩＤ情報を、ネットワークを介してＷＥＢサーバ１５４、または商品管理データベース１５６に送信する。
【００５７】
ステップＳ３０２において、ＷＥＢサーバ１５４からＩＤに対応する商品の詳細情報または、商品管理データベース１５６からＩＤに対応する商品の在庫情報を受信する。ステップＳ３０３において、情報取得に成功したと判定した場合、ステップＳ３０４に進み、情報閲覧サーバ１５２は、ＷＥＢサーバ１５４から取得した商品の詳細情報をディスプレイに出力表示し、商品管理サーバ１５３は、商品管理データベース１５６から取得したＩＤに対応する商品の在庫情報をディスプレイに出力表示する。
【００５８】
ユーザは、これらの表示情報に従って、商品の詳細情報を取得し、また在庫確認を行なって商品を購入する処理などを行なうことができる。これは図２に示すステップＳ６００の処理に相当する。
【００５９】
なお、情報閲覧サーバ１５２によって、ＷＥＢサーバ１５４から取得される商品の詳細情報としては、商品の写真、価格情報などの他に、例えば店舗内の商品展示位置を示す地図情報などを含む情報としてユーザに提示することが可能である。
【００６０】
ＷＥＢサーバ１５４には、商品ＩＤに対応する展示位置情報を格納したデータが格納されており、ＷＥＢサーバ１５４は、情報閲覧サーバ１５２から受信するＩＤ情報に基づいて、ＩＤに対応する商品位置を含む地図情報を取得して情報閲覧サーバ１５２に送信し、情報閲覧サーバ１５２は取得した地図情報をディスプレイに提示する。ユーザは、ディスプレイに提示された地図情報に基づいて、自分の求めている商品の展示位置を知ることができる。
【００６１】
次に、図９、図１０を参照して、携帯情報端末１００を利用した商品確認処理について説明する。
【００６２】
図９には、商品の例としてカメラ３００と、ユーザの携帯情報端末１００を示してある。カメラ３００は、ユーザが店舗で購入しようとする商品、あるいはネットワークを介した購入処理によって自宅に配送されてきた商品である。ユーザは、先に図３を参照して説明したＩＤ入力記憶処理によって携帯情報端末１００の情報記憶部１０３に真正商品の商品ＩＤを格納している。
【００６３】
図に示すＩＤリスト３５１に含まれるシーケンスＮｏ．１のＩＤが、携帯情報端末１００の情報記憶部１０３に格納された真正のカメラ商品の商品ＩＤである。
【００６４】
携帯情報端末１００は、カメラ３００を店舗で購入しようとする際、あるいはネットワークを介した購入処理によって自宅に配送されてきたカメラ３００が、真正な商品であるか否かを確認するために、カメラ３００に装着されているＲＦＩＤタグからＩＤを読み取り、携帯情報端末１００の情報記憶部１０３に格納された真正のカメラ商品の商品ＩＤとの照合処理を行なう。この処理について、図１０のフローを参照して説明する。
【００６５】
ステップＳ４０１において、携帯情報端末１００は、商品のＲＦＩＤタグからＩＤ情報を読み取る。これは図１に示すＩＤ入力部１０６を介して商品のＲＦＩＤタグからＩＤ情報の変調信号を入力し、入力した変調信号をデジタルデータに変換する処理として実行される。
【００６６】
ステップＳ４０２では、商品のＲＦＩＤタグから入力したＩＤ情報と、情報記憶部１０３（図１参照）に格納してあるＩＤリストから取得した真正商品に対応するＩＤとの照合処理を実行する。
【００６７】
ステップＳ４０３において、商品のＲＦＩＤタグから入力したＩＤ情報と、情報記憶部１０３（図１参照）に格納してあるＩＤリストから取得した真正商品に対応するＩＤとが一致したと判定されると、ステップＳ４０４において商品が正当な商品であると判定し判定結果を表示部１０２に表示するなどの通知処理を実行し、一致しない場合は、ステップＳ４０５において商品が不正な商品であると判定して判定結果を表示部１０２に表示するなどの通知処理を実行して処理を終了する。
【００６８】
ユーザはこの判定結果に基づいて、商品を購入するか否かを決定したり、あるいは購入済みの商品の真偽を確認することが可能となる。
【００６９】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【００７０】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００７１】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００７２】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００７３】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００７４】
以上、説明したように、本発明の構成によれば、ＩＤ入力部を介して入力した例えばＲＦＩＤ等のＩＤを記憶部に格納し、記憶部に格納された複数のＩＤの情報からなるＩＤリストを表示して、表示部に表示されたＩＤリストから出力対象とするＩＤを選択し、選択されたＩＤを記憶部から抽出し、抽出ＩＤの出力処理を実行する構成としたので、ユーザが外部から取得した様々な商品に対応するＩＤを自在に選択して出力可能となり、例えば外部の情報閲覧サーバに対して選択ＩＤを出力することで、選択した商品の詳細情報を取得したり、商品検索サーバにＩＤを送信することで、特定の商品の在庫状況を確認することなどが可能となる。
【００７５】
さらに、本発明の構成によれば、固有物に対応して設定された識別情報としてのＩＤを記憶部に複数格納し、選択したＩＤの出力処理を実行する情報端末装置と、情報端末装置から選択出力されるＩＤを入力し、入力ＩＤに対応する固有物の情報を出力する情報処理装置とからなるデータ検索処理システムが実現され、例えば、ＩＤ対応の商品の位置情報を示す地図情報を入力ＩＤに基づいて取得し、取得地図情報をディスプレイに表示する処理などが可能となり、ユーザの持つ端末に格納した複数のＩＤから選択したＩＤに対応する商品情報の取得が可能となる。
【図面の簡単な説明】
【００７６】
【図１】本発明の情報処理装置としての携帯情報端末の構成について説明する図である。
【図２】本発明の情報処理装置としての携帯情報端末の利用構成について説明する図である。
【図３】本発明の情報処理装置としての携帯情報端末におけるＩＤ情報の読み取り格納処理シーケンスについて説明するフロー図である。
【図４】本発明の情報処理装置としての携帯情報端末におけるＩＤ情報の読み取り格納処理に際して記憶部に格納するＩＤリストの例を示す図である。
【図５】本発明の情報処理装置としての携帯情報端末におけるＩＤ情報の送信処理の事前処理として実行するＩＤ選択、メモリ書き込み処理シーケンスについて説明するフロー図である。
【図６】本発明の情報処理装置としての携帯情報端末におけるＩＤ情報の送信処理シーケンスについて説明するフロー図である。
【図７】携帯情報端末と外部の情報処理装置間で実行するＲＦＩＤ情報の送受信処理および外部の情報処理装置の構成について説明する図である。
【図８】携帯情報端末からＩＤを受領したサーバが商品情報を提供する処理シーケンスについて説明するフロー図である。
【図９】本発明の情報処理装置としての携帯情報端末におけるＩＤ情報に基づく商品確認処理について説明する図である。
【図１０】携帯情報端末におけるＩＤ情報に基づく商品確認処理シーケンスについて説明するフロー図である。
【符号の説明】
【００７７】
１００  携帯情報端末（情報処理装置）
１０１  制御部
１０２  表示部
１０３  情報記憶部
１０４  ＩＤ出力部
１０５  入力部
１０６  ＩＤ入力部
１０７  通信部
１０８  出力ＩＤメモリ
１５１  情報処理装置
１５２  情報閲覧サーバ
１５３  商品管理サーバ
１５４  ＷＥＢサーバ
１５５  倉庫
１５６  商品管理データベース
２００  情報処理装置
２０１  ＣＰＵ
２０２  インタフェース
２０３  通信制御部
２０４  復調部
２０５  変調部
３００  カメラ（商品）
３０１  ＲＦＩＤタグ
３５１  ＩＤリスト
【図１】
2005322134.tif 000003
【図２】
2005322134.tif 000004
【図３】
2005322134.tif 000005
【図４】
2005322134.tif 000006
【図５】
2005322134.tif 000007
【図６】
2005322134.tif 000008
【図７】
2005322134.tif 000009
【図８】
2005322134.tif 000010
【図９】
2005322134.tif 000011
【図１０】
2005322134.tif 000012